【手続補正書】
【提出日】平成20年12月24日(2008.12.24)
【手続補正１】
【補正対象書類名】明細書
【補正対象項目名】全文
【補正方法】変更
【補正の内容】
【発明の詳細な説明】
【発明の名称】集合住宅インターホンシステム
【技術分野】
【０００１】
本発明は、マンション等の集合住宅に設置される集合住宅インターホンシステムに係り、特に、集合玄関機のカメラにて撮像された映像信号のレベル補償技術を有する集合住宅インターホンシステムに関する。
【背景技術】
【０００２】
従来から、この種の集合住宅インターホンシステムとして、集合玄関機のカメラにて撮像された映像（映像信号）を、複数の居室親機のうち、例えば、（呼出相手先である）特定の居室親機のモニタに表示させることができる集合住宅インターホンシステムが開示されている（例えば、非特許文献１を参照。）。
【０００３】
【特許文献１】アイホン株式会社発行  総合カタログ２００５／２００６年版（１４５、１４８〜１５１頁等）
【発明の開示】
【発明が解決しようとする課題】
【０００４】
しかしながら、背景技術に記載した非特許文献１の集合住宅インターホンシステムによれば、集合玄関機のカメラにて撮像された映像信号は、ベースバンドで特定の居室親機に伝送されるため、当該映像信号が伝送されるラインの線路長の距離に応じてレベルが減衰する特定を有していた。このため、集合玄関機のカメラにて撮像された映像は、視認性が低い劣化した映像で居室親機のモニタに表示される虞があった。
【０００５】
本発明は、この難点を解消するためになされたもので、集合玄関機のカメラにて撮像された映像信号が伝送されるラインの線路長の距離に拘わらず、画像の劣化が無い視認性に優れた良好な映像として居室親機のモニタに表示させることができる集合住宅インターホンシステムを提供することを目的としている。
【課題を解決するための手段】
【０００６】
前述の目的を達成するため、本発明の第１の態様である集合住宅インターホンシステムは、集合住宅のエントランスに設置されるカメラを有する集合玄関機と、集合住宅の各住戸内にそれぞれ設置され集合玄関機のカメラにて撮像された映像を表示するためのモニタを有する居室親機と、玄関ラインを経由して接続された集合玄関機および親機ラインを経由して接続された居室親機をそれぞれ制御するための制御機とを設けたものである。居室親機は、制御機から供給される直流電源の電圧降下を検出して親機ラインの線路長の距離を判定するための距離判定部と、距離判定部にて判定された距離に応じて、集合玄関機から伝送されてくる映像信号のレベルを補償するためのレベル補償部とを備えたものである。
【０００７】
また、本発明の第２の態様である集合住宅インターホンシステムは、集合住宅のエントランスに設置されるカメラを有する集合玄関機と、集合住宅の各住戸内にそれぞれ設置され集合玄関機のカメラにて撮像された映像を表示するためのモニタを有する居室親機と、玄関ラインを経由して接続された集合玄関機および親機ラインを経由して接続された居室親機をそれぞれ制御するための制御機とを設けたものである。集合玄関機は、制御機から供給される直流電源の電圧降下を検出して玄関ラインの線路長の距離を判定するための距離判定部と、距離判定部にて判定された距離に応じて、カメラにて撮像された映像信号のレベルを補償するためのレベル補償部とを備えたものである。
【０００８】
また、本発明の第３の態様である集合住宅インターホンシステムは、集合住宅のエントランスに設置されるカメラを有する集合玄関機と、集合住宅の各住戸内にそれぞれ設置され集合玄関機のカメラにて撮像された映像を表示するためのモニタを有する居室親機と、玄関ラインを経由して接続された集合玄関機および親機ラインを経由して接続された居室親機をそれぞれ制御するための制御機とを設けたものである。居室親機は、集合玄関機からベースバンドで伝送されてくる映像信号の直流成分の電圧降下を検出して玄関ラインおよび親機ラインの線路長の合計の距離を判定するための距離判定部と、距離判定部にて判定された距離に応じて、映像信号のレベルを補償するためのレベル補償部とを備えたものである。
【０００９】
また、本発明の第４の態様である集合住宅インターホンシステムは、集合住宅のエントランスに設置されるカメラを有する集合玄関機と、集合住宅の各住戸内にそれぞれ設置され集合玄関機のカメラにて撮像された映像を表示するためのモニタを有する居室親機と、玄関ラインを経由して接続された集合玄関機および親機ラインを経由して接続された居室親機をそれぞれ制御するための制御機とを設けたものである。制御機は、集合玄関機からベースバンドで伝送されてくる映像信号の直流成分の電圧降下を検出して玄関ラインの線路長の距離を判定するための距離判定部と、距離判定部にて判定された距離に応じて、映像信号のレベルを補償するためのレベル補償部とを備えたものである。
【００１０】
また、本発明の第５の態様である集合住宅インターホンシステムは、集合住宅のエントランスに設置されるカメラを有する集合玄関機と、集合住宅の各住戸内にそれぞれ設置され集合玄関機のカメラにて撮像された映像を表示するためのモニタを有する居室親機と、玄関ラインを経由して接続された集合玄関機および親機ラインを経由して接続された居室親機をそれぞれ制御するための制御機とを設けたものである。制御機は、集合玄関機に供給する直流電源の電流量を検出して玄関ラインの線路長の距離を判定するための距離判定部と、距離判定部にて判定された距離に応じて、集合玄関機から伝送されてくる映像信号のレベルを補償するためのレベル補償部とを備えたものである。
【００１１】
また、本発明の第６の態様である集合住宅インターホンシステムは、集合住宅のエントランスに設置されるカメラを有する集合玄関機と、集合住宅の各住戸内にそれぞれ設置され集合玄関機のカメラにて撮像された映像を表示するためのモニタを有する居室親機と、玄関ラインを経由して接続された集合玄関機および親機ラインを経由して接続された居室親機をそれぞれ制御するための制御機とを設けたものである。制御機は、居室親機に供給する直流電源の電流量を検出して親機ラインの線路長の距離を判定するための距離判定部と、距離判定部にて判定された距離に応じて、集合玄関機から伝送されてくる映像信号のレベルを補償するためのレベル補償部とを備えたものである。
【発明の効果】
【００１２】
本発明の集合住宅インターホンシステムの第１の態様によれば、集合玄関機のカメラにて撮像された映像信号をモニタに表示する居室親機の距離判定部において、制御機から居室親機に供給される直流電源の電圧降下をもとに親機ラインの線路長の距離を判定し、当該居室親機のレベル補償部は、判定された距離に応じて、映像信号のレベルを補償することができる。これにより、集合玄関機のカメラにて撮像された映像信号を、親機ラインの線路長の距離に拘わらず、画像の劣化が無い視認性に優れた良好な映像として居室親機のモニタに表示させることができる。
【００１３】
また、本発明の集合住宅インターホンシステムの第２の態様によれば、映像信号を撮像するカメラを備えた集合玄関機の距離判定部において、制御機から集合玄関機に供給される直流電源の電圧降下をもとに玄関ラインの線路長の距離を判定し、当該集合玄関機のレベル補償部は、判定された距離に応じて、映像信号のレベルを補償することができる。これにより、集合玄関機のカメラにて撮像された映像信号を、玄関ラインの線路長の距離に拘わらず、画像の劣化が無い視認性に優れた良好な映像として居室親機のモニタに表示させることができる。
【００１４】
また、本発明の集合住宅インターホンシステムの第３の態様によれば、集合玄関機のカメラにて撮像された映像信号をモニタに表示する居室親機の距離判定部において、集合玄関機からベースバンドで伝送されてくる映像信号の直流成分の電圧降下をもとに玄関ラインおよび親機ラインの線路長の合計の距離を判定し、当該居室親機のレベル補償部は、判定された距離に応じて、映像信号のレベルを補償することができる。これにより、集合玄関機のカメラにて撮像された映像信号を、玄関ラインおよび親機ラインのそれぞれの線路長の距離に拘わらず、画像の劣化が無い視認性に優れた良好な映像として居室親機のモニタに表示させることができる。
【００１５】
また、本発明の集合住宅インターホンシステムの第４の態様によれば、集合玄関機のカメラにて撮像された映像信号を居室親機のモニタに表示するにあたり、集合玄関機および居室親機をそれぞれ制御する制御機の距離判定部において、集合玄関機からベースバンドで伝送されてくる映像信号の直流成分の電圧降下をもとに玄関ラインの線路長の距離を判定し、当該制御機のレベル補償部は、判定された距離に応じて、映像信号のレベルを補償することができる。これにより、集合玄関機のカメラにて撮像された映像信号を、玄関ラインの線路長の距離に拘わらず、画像の劣化が無い視認性に優れた良好な映像として居室親機のモニタに表示させることができる。
【００１６】
また、本発明の集合住宅インターホンシステムの第５の態様によれば、集合玄関機のカメラにて撮像された映像信号を居室親機のモニタに表示するにあたり、集合玄関機および居室親機をそれぞれ制御する制御機の距離判定部において、制御機から集合玄関機に供給される直流電源の電流量を検出して玄関ラインの線路長の距離を判定し、当該制御機のレベル補償部は、判定された距離に応じて、映像信号のレベルを補償することができる。これにより、集合玄関機のカメラにて撮像された映像信号を、玄関ラインの線路長の距離に拘わらず、画像の劣化が無い視認性に優れた良好な映像として居室親機のモニタに表示させることができる。
【００１７】
また、本発明の集合住宅インターホンシステムの第６の態様によれば、集合玄関機のカメラにて撮像された映像信号を居室親機のモニタに表示するにあたり、集合玄関機および居室親機をそれぞれ制御する制御機の距離判定部において、制御機から居室親機に供給される直流電源の電流量を検出して親機ラインの線路長の距離を判定し、当該制御機のレベル補償部は、判定された距離に応じて、映像信号のレベルを補償することができる。これにより、集合玄関機のカメラにて撮像された映像信号を、親機ラインの線路長の距離に拘わらず、画像の劣化が無い視認性に優れた良好な映像として居室親機のモニタに表示させることができる。
【発明を実施するための最良の形態】
【００１８】
以下、本発明の集合住宅インターホンシステムを適用した最良の実施の形態例について、図面を参照して説明する。
【００１９】
図１は、本発明の第１の実施例による集合住宅インターホンシステムの具体的な構成を示すブロック図である。
【００２０】
図１に示す集合住宅インターホンシステムには、マンション等の集合住宅のエントランスに設置される集合玄関機１ａと、集合住宅の各住戸内にそれぞれ設置される複数の居室親機、ここでは、第１、第２、・・・の各居室親機２ａ、２ａ、・・・と、玄関ラインＬ1aを経由して接続された集合玄関機１ａおよび各親機ラインＬ2a、Ｌ2a、・・・を経由して接続された第１、第２、・・・の各居室親機２ａ、２ａ、・・・をそれぞれ制御するための制御機３ａとが設けられている。
【００２１】
集合玄関機１ａには、カメラ１０ａ、電源部（以下、玄関電源部という。）１１ａ、距離判定部（以下、玄関距離判定部という。）１２ａ、レベル補償部（以下、玄関レベル補償部という。）１３ａ、インターフェース部（以下、玄関Ｉ／Ｆという。）１４ａが備えられている。
【００２２】
この集合玄関機１ａにおいて、カメラ１０ａは、集合玄関のエントランスにて呼出操作（詳述せず。）を行った来訪者の映像や当該エントランスの周囲近傍の映像を撮像するためのものである。このカメラ１０ａとしては、例えば、ＣＣＤ（Charge Coupled Devices）、ＣＭＯＳ（Complementary Metal Oxide Semiconductor）等の各種の撮像素子が好適とされる。
【００２３】
玄関電源部１１ａは、制御機３ａの後述する電源部３０ａにて生成され玄関ラインＬ1aを経由して供給されてくる直流電源を受電し、動作電源として当該集合玄関機の構成各部にそれぞれ電源供給するためのものである。
【００２４】
玄関距離判定部１２ａは、制御機３ａの後述する電源部３０ａにて生成され玄関ラインＬ1aを経由して供給されてくる直流電源の電圧降下を検出して、玄関ラインＬ1aの線路長の距離を判定するためのものである。
【００２５】
玄関レベル補償部１３ａは、玄関距離判定部１２ａにて判定される玄関ラインＬ1aの線路長の距離に応じて、カメラ１０ａにて撮像された映像信号のレベルを補償するためのものである。
【００２６】
玄関Ｉ／Ｆ１４ａは、玄関ラインＬ1aから玄関電源部１１ａおよび玄関距離判定部１２ａへの電源供給路、玄関レベル補償部１３ａから玄関ラインＬ1aへの信号伝送路をそれぞれ形成するためのものである。
【００２７】
また、第１、第２、・・・の各居室親機２ａ、２ａ、・・・はそれぞれ同様な構成であり、モニタ２０ａ、電源部（以下、親機電源部という。）２１ａ、距離判定部（以下、親機距離判定部という。）２２ａ、レベル補償部（以下、親機レベル補償部という。）２３ａ、インターフェース部（以下、親機Ｉ／Ｆという。）２４ａが備えられている。
【００２８】
この第１、第２、・・・の各居室親機２ａ、２ａ、・・・において、モニタ２０ａは、集合玄関機１ａのカメラ１０ａにて撮像された映像（映像信号）を表示するためのものである。このモニタ２０ａとしては、例えば、ＬＣＤ（Liquid Crystal Display）、有機ＥＬ（Electro Luminescence）ディスプレイ等の各種のディスプレイが好適とされる。
【００２９】
親機電源部２１ａは、制御機３ａの後述する電源部３０ａにて生成され各親機ラインＬ2a、Ｌ2a、・・・を経由して供給されてくる直流電源を受電し、動作電源として当該居室親機の構成各部にそれぞれ電源供給するためのものである。
【００３０】
親機距離判定部２２ａは、制御機３ａの後述する電源部３０ａにて生成され各親機ラインＬ2a、Ｌ2a、・・・を経由して供給されてくる直流電源の電圧降下を検出して、各親機ラインＬ2a、Ｌ2a、・・・の線路長の距離を判定するためのものである。
【００３１】
親機レベル補償部２３ａは、親機距離判定部２２ａにて判定される各親機ラインＬ2a、Ｌ2a、・・・の線路長の距離に応じて、集合玄関機１ａからベースバンドで伝送されてくる（カメラ１０ａにて撮像された）映像信号のレベルを補償してモニタ２０ａに送出するためのものである。
【００３２】
親機Ｉ／Ｆ２４ａは、各親機ラインＬ2a、Ｌ2a、・・・から親機電源部２１ａおよび親機距離判定部２２ａへの電源供給路、各親機ラインＬ2a、Ｌ2a、・・・から親機レベル補償部２３ａへの信号伝送路をそれぞれ形成するためのものである。
【００３３】
さらに、制御機３ａには、電源部（以下、制御機電源部という。）３０ａ、２つのインターフェース部（以下、それぞれ玄関側制御機Ｉ／Ｆ、親機側制御機Ｉ／Ｆという。）３１ａ、３２ａが備えられている。
【００３４】
この制御機３ａにおいて、制御機電源部３０ａは、商用電源（ＡＣ１００Ｖ）について整流／平滑させた直流電源を生成し、動作電源として当該制御機の構成各部にそれぞれ供給するとともに、同様な直流電源を動作電源として、集合玄関機１ａの構成各部および第１、第２、・・・の各居室親機２ａ、２ａ、・・・の構成各部にそれぞれ供給するためのものである。
【００３５】
玄関側制御機Ｉ／Ｆ３１ａは、玄関ラインＬ1aから親機側制御機Ｉ／Ｆ３２ａへの信号伝送路、制御機電源部３０ａから玄関ラインＬ1aへの電源供給路をそれぞれ形成するためのものである。
【００３６】
親機側制御機Ｉ／Ｆ３２ａは、玄関側制御機Ｉ／Ｆ３１ａから各親機ラインＬ2a、Ｌ2a、・・・への信号伝送路、制御機電源部３０ａから各親機ラインＬ2a、Ｌ2a、・・・への電源供給路をそれぞれ形成するためのものである。
【００３７】
このように構成された本発明の第１の実施例による集合住宅インターホンシステムにおいて、以下、具体的な動作について説明する。
【００３８】
図１において、制御機３ａの制御機電源部３０ａは、商用電源（ＡＣ１００Ｖ）について整流／平滑させた直流電源を生成する。この直流電源は、制御機３ａの構成各部の動作電源となるばかりでなく、玄関側制御機Ｉ／Ｆ３１ａ、玄関ラインＬ1a、集合玄関機１ａの玄関Ｉ／Ｆ１４ａを経由して玄関電源部１１ａおよび玄関距離判定部１２ａと、親機側制御機Ｉ／Ｆ３２ａ、各親機ラインＬ2a、Ｌ2a、・・・、第１、第２、・・・の各居室親機２ａ、２ａ、・・・の親機Ｉ／Ｆ２４ａを経由して親機電源部２１ａおよび親機距離判定部２２ａとにそれぞれ電源供給される。
【００３９】
集合玄関機１ａの玄関電源部１１ａは、制御機３ａの制御機電源部３０ａから供給されてきた直流電源を受電し、この直流電源が動作電源となるように当該集合玄関機の構成各部にそれぞれ電源供給することができる。なお、玄関電源部１１ａにて受電された直流電源の電圧レベルは、玄関ラインＬ1aの線路長の距離に応じて、制御機電源部３０ａの供給電圧レベルと比較して電圧降下されるため、カメラ１０ａにて撮像された映像信号を玄関ラインＬ1aを経由してベースバンドで伝送させるにあたり、当該映像信号のレベルは、図５の特性図に示すように減衰される。これを解消するにあたり、玄関レベル補償部１３ａは、玄関距離判定部１２ａにて判定される玄関ラインＬ1aの線路長の距離に応じて、映像信号のレベルを補償することができる。なお、図５は、本発明の各実施例（第１乃至第４の各実施例）において適用される映像信号のレベル補償を説明するための特性図である。
【００４０】
また、第１、第２、・・・の各居室親機２ａ、２ａ、・・・の親機電源部２１ａは、制御機３ａの制御機電源部３０ａから供給されてきた直流電源を受電し、この直流電源が動作電源となるように当該居室親機の構成各部にそれぞれ電源供給することができる。なお、親機電源部２１ａにて受電された直流電源の電圧レベルは、各親機ラインＬ2a、Ｌ2a、・・・の線路長の距離に応じて、制御機電源部３０ａの供給電圧レベルと比較して電圧降下されるため、集合玄関機１ａのカメラ１０ａにて撮像された映像信号を各親機ラインＬ2a、Ｌ2a、・・・を経由してベースバンドで伝送させるにあたり、当該映像信号のレベルは、図５の特性図に示すように減衰される。これを解消するにあたり、親機レベル補償部２３ａは、親機距離判定部２２ａにて判定される各親機ラインＬ2a、Ｌ2a、・・・の線路長の距離に応じて、映像信号のレベルを補償することができる。
【００４１】
以下、集合玄関機１ａのカメラ１０ａにて撮像された映像を第１の居室親機２ａのモニタ２０ａに表示させる動作について説明する。このカメラ１０ａにて撮像された映像であり電気信号に信号処理された映像信号Ｓ1aは、玄関レベル補償部１３ａの制御により、玄関距離判定部１２ａにて判定される玄関ラインＬ1aの線路長の距離に応じてレベルが補償される（図５を参照。）。前述のレベル補償により生成された映像信号Ｓ2aは、玄関レベル補償部１３ａから玄関Ｉ／Ｆ１４ａ、玄関ラインＬ1a、制御機３ａの玄関側制御機Ｉ／Ｆ３１ａ、親機側制御機Ｉ／Ｆ３２ａ、親機ラインＬ2a、第１の居室親機２ａの親機Ｉ／Ｆ２４ａを経由して親機レベル補償部２３ａにベースバンドで伝送される。なお、制御機３ａから第１の居室親機２ａへと映像信号Ｓ2aを伝送させるにあたり、この映像信号Ｓ2aは、制御機電源部３０ａから親機ラインＬ2aを経由して供給されてくる直流電源に重畳される。
【００４２】
第１の居室親機２ａの親機レベル補償部２３ａは、親機距離判定部２２ａにて判定される親機ラインＬ2aの線路長の距離に応じて映像信号Ｓ2aのレベルを補償（図５を参照。）することにより、集合玄関機１ａのカメラ１０ａにて撮像された映像を、玄関ラインＬ1aおよび親機ラインＬ2aのそれぞれの線路長の距離に拘わらず、画像の劣化が無い視認性に優れた良好な映像としてモニタ２０ａに表示させることができる。
【００４３】
なお、前述までの第１の実施例によれば、集合玄関機１ａのカメラ１０ａにて撮像された映像を、画像の劣化が無い視認性に優れた良好な映像として第１の居室親機２ａのモニタ２０ａに表示させるレベル補償手段として、玄関レベル補償部１３ａの制御による玄関距離判定部１２ａにて判定される玄関ラインＬ1aの線路長の距離に応じたレベル補償、および親機レベル補償部２３ａの制御による親機距離判定部２２ａにて判定される親機ラインＬ2aの線路長の距離に応じたレベル補償のように、異なる２種のレベル補償手段を適用したが、この態様に限定されるものではない。例えば、前述の２種のレベル補償手段のうち少なくとも何れか一方の当該レベル補償手段を適用することができる。
【００４４】
次に、前述の第１の実施例と同様な効果を奏する別途の実施の形態例（以下、第２の実施例という。）について、図面を参照して説明する。
【００４５】
図２は、本発明の第２の実施例による集合住宅インターホンシステムの具体的な構成を示すブロック図である。なお、第１の実施例と同様な構成各部については、それぞれ同一の名称および符号を付与して説明は省略するものとする。
【００４６】
図２に示す集合住宅インターホンシステムには、マンション等の集合住宅のエントランスに設置される集合玄関機１ｂと、集合住宅の各住戸内にそれぞれ設置される複数の居室親機、ここでは、第１、第２、・・・の各居室親機２ｂ、２ｂ、・・・と、玄関ラインＬ1bを経由して接続された集合玄関機１ｂおよび各親機ラインＬ2b、Ｌ2b、・・・を経由して接続された第１、第２、・・・の各居室親機２ｂ、２ｂ、・・・をそれぞれ制御するための制御機３ｂとが設けられている。
【００４７】
集合玄関機１ｂには、カメラ１０ｂ、玄関電源部１１ｂ、玄関Ｉ／Ｆ１４ｂが備えられている。
【００４８】
また、第１、第２、・・・の各居室親機２ｂ、２ｂ、・・・はそれぞれ同様な構成であり、モニタ２０ｂ、親機電源部２１ｂ、親機距離判定部２２ｂ、親機レベル補償部２３ｂ、親機Ｉ／Ｆ２４ｂが備えられている。
【００４９】
この第１、第２、・・・の各居室親機２ｂ、２ｂ、・・・において、親機距離判定部２２ｂは、集合玄関機１ｂのカメラ１０ｂにて撮像された映像でありベースバンドで伝送されてくる映像信号の直流成分の電圧降下を検出して、玄関ラインＬ1bおよび各親機ラインＬ2b、Ｌ2b、・・・の線路長の合計の距離を判定するためのものである。
【００５０】
親機レベル補償部２３ｂは、親機距離判定部２２ｂにて判定される玄関ラインＬ1bおよび各親機ラインＬ2b、Ｌ2b、・・・の線路長の合計の距離に応じて、集合玄関機１ｂからベースバンドで伝送されてくる（カメラ１０ｂにて撮像された）映像信号のレベルを補償してモニタ２０ｂに送出するためのものである。この親機レベル補償部２３ｂおよび親機Ｉ／Ｆ２４ｂの間には、親機距離判定部２２ｂが接続されている。
【００５１】
親機Ｉ／Ｆ２４ｂは、各親機ラインＬ2b、Ｌ2b、・・・から親機距離判定部２２ｂおよび親機レベル補償部２３ｂへの信号伝送路、各親機ラインＬ2b、Ｌ2b、・・・から親機電源部２１ｂへの電源供給路をそれぞれ形成するためのものである。
【００５２】
さらに、制御機３ｂには、制御機電源部３０ｂ、玄関側制御機Ｉ／Ｆ３１ｂ、親機側制御機Ｉ／Ｆ３２ｂが備えられている。
【００５３】
このように構成された本発明の第２の実施例による集合住宅インターホンシステムにおいて、以下、具体的な動作について説明する。
【００５４】
図２において、制御機３ｂの制御機電源部３０ｂは、商用電源（ＡＣ１００Ｖ）について整流／平滑させた直流電源を生成する。この直流電源は、制御機３ｂの構成各部の動作電源となるばかりでなく、玄関側制御機Ｉ／Ｆ３１ｂ、玄関ラインＬ1b、集合玄関機１ｂの玄関Ｉ／Ｆ１４ｂを経由して玄関電源部１１ｂと、親機側制御機Ｉ／Ｆ３２ｂ、各親機ラインＬ2b、Ｌ2b、・・・、第１、第２、・・・の各居室親機２ｂ、２ｂ、・・・の親機Ｉ／Ｆ２４ｂを経由して親機電源部２１ｂとにそれぞれ電源供給される。
【００５５】
集合玄関機１ｂの玄関電源部１１ｂは、制御機３ｂの制御機電源部３０ｂから供給されてきた直流電源を受電し、この直流電源が動作電源となるように当該集合玄関機の構成各部にそれぞれ電源供給することができる。
【００５６】
また、第１、第２、・・・の各居室親機２ｂ、２ｂ、・・・の親機電源部２１ｂは、制御機３ｂの制御機電源部３０ｂから供給されてきた直流電源を受電し、この直流電源が動作電源となるように当該居室親機の構成各部にそれぞれ電源供給することができる。
【００５７】
以下、集合玄関機１ｂのカメラ１０ｂにて撮像された映像を第１の居室親機２ｂのモニタ２０ｂに表示させる動作について説明する。このカメラ１０ｂにて撮像された映像であり電気信号に信号処理された映像信号Ｓ1bは、玄関Ｉ／Ｆ１４ｂ、玄関ラインＬ1b、制御機３ｂの玄関側制御機Ｉ／Ｆ３１ｂ、親機側制御機Ｉ／Ｆ３２ｂ、親機ラインＬ2b、第１の居室親機２ｂの親機Ｉ／Ｆ２４ｂを経由して親機距離判定部２２ｂおよび親機レベル補償部２３ｂにそれぞれベースバンドで伝送される。なお、制御機３ｂから第１の居室親機２ｂへと映像信号Ｓ1bを伝送させるにあたり、この映像信号Ｓ1bは、制御機電源部３０ｂから親機ラインＬ2bを経由して供給されてくる直流電源に重畳される。
【００５８】
居室親機２ｂの親機距離判定部２２ｂは、ベースバンドで伝送されてきた映像信号Ｓ1bの直流成分の電圧降下を検出し、その検出結果をもとに玄関ラインＬ1bおよび親機ラインＬ2bの線路長の合計の距離を判定する。また、親機レベル補償部２３ｂは、親機距離判定部２２ｂにて判定された線路長の距離に応じて、映像信号Ｓ1bのレベルを補償（図５を参照。）することにより、集合玄関機１ｂのカメラ１０ｂにて撮像された映像を、玄関ラインＬ1bおよび親機ラインＬ2bのそれぞれの線路長の距離に拘わらず、画像の劣化が無い視認性に優れた良好な映像としてモニタ２０ｂに表示させることができる。
【００５９】
なお、前述までの第２の実施例によれば、集合玄関機１ｂのカメラ１０ｂにて撮像された映像を、画像の劣化が無い視認性に優れた良好な映像として居室親機２ｂのモニタ２０ｂに表示させるレベル補償手段として、親機レベル補償部２３ｂの制御による親機距離判定部２２ｂにて判定される玄関ラインＬ1bおよび親機ラインＬ2bの線路長の合計の距離に応じたレベル補償手段を適用したが、この態様に限定されるものではない。例えば、前述の第１の実施例にて適用された異なる２種のレベル補償手段のうち、集合玄関機１ａに備えられたレベル補償手段（玄関距離判定部１２ａ、玄関レベル補償部１３ａ）を集合玄関機１ｂに備えることもできる。
【００６０】
次に、前述の第１、第２の各実施例と同様な効果を奏する別途の実施の形態例（以下、第３の実施例という。）について、図面を参照して説明する。
【００６１】
図３は、本発明の第３の実施例による集合住宅インターホンシステムの具体的な構成を示すブロック図である。なお、第１、第２の各実施例と同様な構成各部については、それぞれ同一の名称および符号を付与して説明は省略するものとする。
【００６２】
図３に示す集合住宅インターホンシステムには、マンション等の集合住宅のエントランスに設置される集合玄関機１ｃと、集合住宅の各住戸内にそれぞれ設置される複数の居室親機、ここでは、第１、第２、・・・の各居室親機２ｃ、２ｃ、・・・と、玄関ラインＬ1cを経由して接続された集合玄関機１ｃおよび各親機ラインＬ2c、Ｌ2c、・・・を経由して接続された第１、第２、・・・の各居室親機２ｃ、２ｃ、・・・をそれぞれ制御するための制御機３ｃとが設けられている。
【００６３】
集合玄関機１ｃには、カメラ１０ｃ、玄関電源部１１ｃ、玄関Ｉ／Ｆ１４ｃが備えられている。
【００６４】
また、第１、第２、・・・の各居室親機２ｃ、２ｃ、・・・はそれぞれ同様な構成であり、例えば、前述の第１の実施例にて適用された第１、第２、・・・の各居室親機２ａ、２ａ、・・・と同様な構成各部、すなわち、モニタ２０ｃ、親機電源部２１ｃ、親機距離判定部２２ｃ、親機レベル補償部２３ｃ、親機Ｉ／Ｆ２４ｃが備えられている。
【００６５】
さらに、制御機３ｃには、制御機電源部３０ｃ、玄関側制御機Ｉ／Ｆ３１ｃ、親機側制御機Ｉ／Ｆ３２ｃ、距離判定部（以下、制御機距離判定部という。）３３ｃ、レベル補償部（以下、制御機レベル補償部という。）３４ｃが備えられている。
【００６６】
この制御機３ｃにおいて、制御機距離判定部３３ｃは、集合玄関機１ｃのカメラ１０ｃにて撮像された映像でありベースバンドで伝送されてくる映像信号の直流成分の電圧降下を検出して、玄関ラインＬ1cの線路長の距離を判定するためのものである。
【００６７】
制御機レベル補償部３４ｃは、制御機距離判定部３３ｃにて判定される玄関ラインＬ1cの線路長の距離に応じて、集合玄関機１ｃからベースバンドで伝送されてくる（カメラ１０ｃにて撮像された）映像信号のレベルを補償するためのものである。この制御機レベル補償部３４ｃおよび玄関側制御機Ｉ／Ｆ３１ｃの間には、制御機距離判定部３３ｃが接続されている。
【００６８】
このように構成された本発明の第３の実施例による集合住宅インターホンシステムにおいて、以下、具体的な動作について説明する。
【００６９】
図３において、制御機３ｃの制御機電源部３０ｃは、商用電源（ＡＣ１００Ｖ）について整流／平滑させた直流電源を生成する。この直流電源は、制御機３ｃの構成各部の動作電源となるばかりでなく、玄関側制御機Ｉ／Ｆ３１ｃ、玄関ラインＬ1c、集合玄関機１ｃの玄関Ｉ／Ｆ１４ｃを経由して玄関電源部１１ｃと、親機側制御機Ｉ／Ｆ３２ｃ、各親機ラインＬ2c、Ｌ2c、・・・、第１、第２、・・・の各居室親機２ｃ、２ｃ、・・・の親機Ｉ／Ｆ２４ｃを経由して親機電源部２１ｃおよび親機距離判定部２２ｃとにそれぞれ電源供給される。
【００７０】
集合玄関機１ｃの玄関電源部１１ｃは、制御機３ｃの制御機電源部３０ｃから供給されてきた直流電源を受電し、この直流電源が動作電源となるように当該集合玄関機の構成各部にそれぞれ電源供給することができる。
【００７１】
また、第１、第２、・・・の各居室親機２ｃ、２ｃ、・・・の親機電源部２１ｃは、制御機３ｃの制御機電源部３０ｃから供給されてきた直流電源を受電し、この直流電源が動作電源となるように当該居室親機の構成各部にそれぞれ電源供給することができる。なお、親機電源部２１ｃにて受電された直流電源の電圧レベルは、各親機ラインＬ2c、Ｌ2c、・・・の線路長の距離に応じて、制御機電源部３０ｃの供給電圧レベルと比較して電圧降下されるため、集合玄関機１ｃのカメラ１０ｃにて撮像された映像信号を各親機ラインＬ2c、Ｌ2c、・・・を経由してベースバンドで伝送させるにあたり、当該映像信号のレベルは、図５の特性図に示すように減衰される。これを解消するにあたり、親機レベル補償部２３ｃは、前述の第１の実施例と同様、親機距離判定部２２ｃにて判定される各親機ラインＬ2c、Ｌ2c、・・・の線路長の距離に応じて、映像信号のレベルを補償することができる。
【００７２】
以下、集合玄関機１ｃのカメラ１０ｃにて撮像された映像を第１の居室親機２ｃのモニタ２０ｃに表示させる動作について説明する。このカメラ１０ｃにて撮像された映像であり電気信号に信号処理された映像信号Ｓ1cは、玄関Ｉ／Ｆ１４ｃ、玄関ラインＬ1c、制御機３ｃの玄関側制御機Ｉ／Ｆ３１ｃを経由して制御機距離判定部３３ｃおよび制御機レベル補償部３４ｃにそれぞれベースバンドで伝送される。
【００７３】
制御機３ｃの制御機距離判定部３３ｃは、ベースバンドで伝送されてきた映像信号Ｓ1cの直流成分の電圧降下を検出し、その検出結果をもとに玄関ラインＬ1cの線路長の距離を判定する。また、制御機レベル補償部３４ｃは、制御機距離判定部３３ｃにて判定された線路長の距離に応じて、映像信号Ｓ1cのレベルを補償（図５を参照。）させた映像信号Ｓ2cを生成する。この映像信号Ｓ2cは、制御機レベル補償部３４ｃから親機側制御機Ｉ／Ｆ３２ｃ、親機ラインＬ2c、第１の居室親機２ｃの親機Ｉ／Ｆ２４ｃを経由して親機レベル補償部２３ｃにベースバンドで伝送される。なお、制御機３ｃから第１の居室親機２ｃへと映像信号Ｓ2cを伝送させるにあたり、この映像信号Ｓ2cは、制御機電源部３０ｃから親機ラインＬ2cを経由して供給されてくる直流電源に重畳される。
【００７４】
第１の居室親機２ｃの親機レベル補償部２３ｃは、親機距離判定部２２ｃにて判定される親機ラインＬ2cの線路長の距離に応じて映像信号Ｓ2cのレベルを補償（図５を参照。）することにより、集合玄関機１ｃのカメラ１０ｃにて撮像された映像を、玄関ラインＬ1cおよび親機ラインＬ2cのそれぞれの線路長の距離に拘わらず、画像の劣化が無い視認性に優れた良好な映像としてモニタ２０ｃに表示させることができる。
【００７５】
なお、前述までの第３の実施例によれば、集合玄関機１ｃのカメラ１０ｃにて撮像された映像を、画像の劣化が無い視認性に優れた良好な映像として第１の居室親機２ｃのモニタ２０ｃに表示させる当該居室親機のレベル補償手段として、親機レベル補償部２３ｃの制御による親機距離判定部２２ｃにて判定される親機ラインＬ2cの線路長の距離に応じたレベル補償を適用したが、この態様に限定されるものではない。例えば、第２の実施例にて適用したように、親機レベル補償部２３ｂの制御による親機距離判定部２２ｂにて判定される親機ラインＬ2bの線路長の距離に応じたレベル補償手段を第１、第２、・・・の各居室親機２ｃ、２ｃ、・・・にそれぞれ適用することもできる。
【００７６】
次に、前述の第１乃至第３の各実施例と同様な効果を奏する別途の実施の形態例（以下、第４の実施例という。）について、図面を参照して説明する。
【００７７】
図４は、本発明の第４の実施例による集合住宅インターホンシステムの構成を示すブロック図である。なお、第１乃至第３の各実施例と同様な構成各部については、それぞれ同一の名称および符号を付与して説明は省略するものとする。
【００７８】
図４に示す集合住宅インターホンシステムには、マンション等の集合住宅のエントランスに設置される集合玄関機１ｄと、集合住宅の各住戸内にそれぞれ設置される複数の居室親機、ここでは、第１、第２、・・・の各居室親機２ｄ、２ｄ、・・・と、玄関ラインＬ1dを経由して接続された集合玄関機１ｄおよび各親機ラインＬ2d、Ｌ2d、・・・を経由して接続された第１、第２、・・・の各居室親機２ｄ、２ｄ、・・・をそれぞれ制御するための制御機３ｄとが設けられている。
【００７９】
集合玄関機１ｄには、カメラ１０ｄ、玄関電源部１１ｄ、玄関Ｉ／Ｆ１４ｄが備えられている。
【００８０】
また、第１、第２、・・・の各居室親機２ｄ、２ｄ、・・・はそれぞれ同様な構成であり、モニタ２０ｄ、親機電源部２１ｄ、親機Ｉ／Ｆ２４ｄが備えられている。
【００８１】
さらに、制御機３ｄには、制御機電源部３０ｄ、玄関側制御機Ｉ／Ｆ３１ｄ、親機側制御機Ｉ／Ｆ３２ｄ、２つの距離判定部（以下、玄関側制御機距離判定部、親機側制御機距離判定部という。）３３ｄ、３４ｄ、制御機レベル補償部３５ｄが備えられている。
【００８２】
この制御機３ｄにおいて、玄関側制御機距離判定部３３ｄは、制御機電源部３０ｄから集合玄関機１ｄに供給される直流電源の電流量を検出して、玄関ラインＬ1dの線路長の距離を判定するためのものである。この玄関側制御機距離判定部３３ｄは、制御機電源部３０ｄおよび玄関側制御機Ｉ／Ｆ３１ｄの間に接続されている。
【００８３】
親機側制御機距離判定部３４ｄは、制御機電源部３０ｄから各居室親機２ｄ、２ｄ、・・・に供給される直流電源の電流量を検出して、各親機ラインＬ2d、Ｌ2d、・・・の線路長の距離をそれぞれ判定するためのものである。この親機側制御機距離判定部３４ｄは、制御機電源部３０ｄおよび親機側制御機Ｉ／Ｆ３２ｄの間に接続されている。
【００８４】
制御機レベル補償部３５ｄは、集合玄関機１ｄからベースバンドで伝送されてくる（カメラ１０ｄにて撮像された）映像信号のレベルを、玄関側制御機距離判定部３３ｄにて判定される玄関ラインＬ1dの線路長の距離および親機側制御機距離判定部３４ｄにて判定される各親機ラインＬ2d、Ｌ2d、・・・の線路長の距離に応じて補償するためのものである。
【００８５】
このように構成された本発明の第４の実施例による集合住宅インターホンシステムにおいて、以下、具体的な動作について説明する。
【００８６】
図４において、制御機３ｄの制御機電源部３０ｄは、商用電源（ＡＣ１００Ｖ）について整流／平滑させた直流電源を生成する。この直流電源は、制御機３ｄの構成各部の動作電源となるばかりでなく、玄関側制御機Ｉ／Ｆ３１ｄ、玄関ラインＬ1d、集合玄関機１ｄの玄関Ｉ／Ｆ１４ｄを経由して玄関電源部１１ｄと、親機側制御機Ｉ／Ｆ３２ｄ、各親機ラインＬ2d、Ｌ2d、・・・、第１、第２、・・・の各居室親機２ｄ、２ｄ、・・・の親機Ｉ／Ｆ２４ｄを経由して親機電源部２１ｄとにそれぞれ電源供給される。
【００８７】
ここで、制御機３ｄの玄関側制御機距離判定部３３ｄは、制御機電源部３０ｄから集合玄関機１ｄへと供給される直流電源の電流量をもとに、玄関ラインＬ1dの線路長の距離を判定する。また、親機側制御機距離判定部３４ｄは、制御機電源部３０ｄから第１、第２、・・・の各居室親機２ｄ、２ｄ、・・・へと供給される直流電源の電流量をもとに、各親機ラインＬ2d、Ｌ2d、・・・の線路長の距離をそれぞれ判定する。
【００８８】
集合玄関機１ｄの玄関電源部１１ｄは、制御機３ｄの制御機電源部３０ｄから供給されてきた直流電源を受電し、この直流電源が動作電源となるように当該集合玄関機の構成各部にそれぞれ電源供給することができる。
【００８９】
また、第１、第２、・・・の各居室親機２ｄ、２ｄ、・・・の親機電源部２１ｄは、それぞれ制御機３ｄの制御機電源部３０ｄから供給されてきた直流電源を受電し、この直流電源が動作電源となるように当該居室親機の構成各部にそれぞれ電源供給することができる。
【００９０】
以下、集合玄関機１ｄのカメラ１０ｄにて撮像された映像を第１の居室親機２ｄのモニタ２０ｄに表示させる動作について説明する。このカメラ１０ｄにて撮像された映像であり電気信号に信号処理された映像信号Ｓ1dは、玄関Ｉ／Ｆ１４ｄ、玄関ラインＬ1d、制御機３ｄの玄関側制御機Ｉ／Ｆ３１ｄを経由して制御機レベル補償部３５ｄにベースバンドで伝送される。
【００９１】
制御機３ｄの制御機レベル補償部３５ｄは、玄関制御機距離判定部３３ｄにて判定された玄関ラインＬ1dの線路長の距離および親機側制御機距離判定部３４ｄにて判定された親機ラインＬ2dの線路長の距離をもとに、ベースバンドで伝送されてきた映像信号Ｓ1dのレベルを補償（図５を参照。）させた映像信号Ｓ2dを生成する。この映像信号Ｓ2dは、制御機レベル補償部３５ｄから親機側制御機Ｉ／Ｆ３２ｄ、親機ラインＬ2d、第１の居室親機２ｄの親機Ｉ／Ｆ２４ｄを経由してモニタ２０ｄに伝送されることにより、集合玄関機１ｄのカメラ１０ｄにて撮像された映像を、玄関ラインＬ1dおよび親機ラインＬ2dのそれぞれの線路長の距離に拘わらず、画像の劣化が無い視認性に優れた良好な映像としてモニタ２０ｄに表示させることができる。なお、制御機３ｄから第１の居室親機２ｄへと映像信号Ｓ2dを伝送させるにあたり、この映像信号Ｓ2dは、制御機電源部３０ｄから親機ラインＬ2dを経由して供給されてくる直流電源に重畳される。
【００９２】
なお、前述までの第４の実施例によれば、集合玄関機１ｄのカメラ１０ｄにて撮像された映像を、画像の劣化が無い視認性に優れた良好な映像として第１の居室親機２ｄのモニタ２０ｄに表示させるレベル補償手段として、制御機３ｄの玄関側制御機距離判定部３３ｄおよび親機側制御機距離判定部３４ｄのように、異なる２種の距離判定部を適用し、これら距離判定部３３ｄ、３４ｄにて判定される玄関ラインＬ1dおよび親機ラインＬ2dのそれぞれ線路長の距離に応じたレベル補償を制御機レベル補償部３５ｄにて行ったが、この態様に限定されるものではない。例えば、前述の２種の距離判定部３３ｄ、３４ｄのうち少なくとも何れか一方の当該距離判定部のみを適用することができる。ここで、玄関側制御機距離判定部３３ｄのみが制御機３ｄに備えられた場合には、前述の第１の実施例または第２の実施例にて適用された親機距離判定部２２ａ、２２ｂ、親機レベル補償部２３ａ、２３ｂを第１、第２、・・・の各居室親機２ｄ、２ｄ、・・・にそれぞれ備えることが好ましい。一方、親機側制御機距離判定部３４ｄのみが制御機３ｄに備えられた場合には、前述の第１の実施例にて適用された玄関距離判定部１２ａ、玄関レベル補償部１３ａを集合玄関機１ｄに備えることが好ましい。
【００９３】
本発明の集合住宅インターホンシステムにおいては、特定の実施の形態をもって説明してきたが、この形態に限定されるものでなく、本発明の効果を奏する限り、これまで知られた如何なる構成の集合住宅インターホンシステム、例えば、管理室内に設置される管理室親機を有する当該インターホンシステムであっても採用できるということはいうまでもないことである。また、制御機３ａ、３ｂ、３ｃ、３ｄと第１、第２、・・・の各居室親機２ａ、２ａ、・・・、２ｂ、２ｂ、・・・、２ｃ、２ｃ、・・・、２ｄ、２ｄ、・・・との接続は、各親機ラインＬ2a、Ｌ2a、・・・、Ｌ2b、Ｌ2b、・・・、Ｌ2c、Ｌ2c、・・・、Ｌ2d、Ｌ2d、・・・を経由した個別の接続に限定されるものではない。例えば、単一本の親機ラインで第１、第２、・・・の各居室親機２ａ、２ａ、・・・、２ｂ、２ｂ、・・・、２ｃ、２ｃ、・・・、２ｄ、２ｄ、・・・をバス接続することもできる。
【図面の簡単な説明】
【００９４】
【図１】本発明の第１の実施例による集合住宅インターホンシステムの具体的な構成を示すブロック図。
【図２】本発明の第２の実施例による集合住宅インターホンシステムの具体的な構成を示すブロック図。
【図３】本発明の第３の実施例による集合住宅インターホンシステムの具体的な構成を示すブロック図。
【図４】本発明の第４の実施例による集合住宅インターホンシステムの具体的な構成を示すブロック図。
【図５】本発明の第１乃至第４の各実施例によるインターホンシステムにおいて適用される映像信号のレベル補償を説明するための特性図。
【符号の説明】
【００９５】
１ａ、１ｂ、１ｃ、１ｄ……集合玄関機
１０ａ、１０ｂ、１０ｃ、１０ｄ……カメラ
１２ａ……玄関距離判定部（距離判定部）
１３ａ……玄関レベル補償部（レベル補償部）
２ａ、２ａ、・・・、２ｂ、２ｂ、・・・、２ｃ、２ｃ、・・・、２ｄ、２ｄ、・・・、…第１、第２、・・・の各居室親機（居室親機）
２０ａ、２０ｂ、２０ｃ、２０ｄ……モニタ
２２ａ、２２ｂ、２２ｃ……親機距離判定部（距離判定部）
２３ａ、２３ｂ、２３ｃ……親機レベル補償部（レベル補償部）
３ａ、３ｂ、３ｃ、３ｄ……制御機
３３ｃ……制御機距離判定部（距離判定部）
３４ｃ、３５ｄ……制御機レベル補償部（レベル補償部）
３３ｄ……玄関側制御機距離判定部（距離判定部）
３４ｄ……親機側制御機距離判定部（距離判定部）
Ｌ1a、Ｌ1b、Ｌ1c、Ｌ1d……玄関ライン
Ｌ2a、Ｌ2a、・・・、Ｌ2b、Ｌ2b、・・・、Ｌ2c、Ｌ2c、・・・、Ｌ2d、Ｌ2d、・・・……親機ライン